(57)【要約】【課題】部材点数を低減しながら、専用の装飾体を必要とすることなく、装飾体の取り替え等を容易に行う。【解決手段】差し込み部材５は、本体部５０と、この本体部５０の内部に設けられているとともに、本体部５０の外周面から出没可能なストッパ部８０ａを有するストッパ部材８０と、本体部５０の内部に設けられ、ストッパ部材８を、ストッパ部８０ａが本体部５０の外周面から突出する方向に付勢することによりストッパ部８０ａを本体部５０の外周面から突出した突出状態とするねじりばね８１とを備えている。【選択図】図４
2015208332.tif 000002
【特許請求の範囲】
【請求項１】
一対の連結部材が互いに連結可能に構成された装身具用連結具であって、
上記一対の連結部材の少なくとも一方は、
本体部と、
上記本体部に設けられているとともに、該本体部の外周面から出没可能なストッパ部を有するストッパ部材と、
上記本体部に設けられ、上記ストッパ部材を、上記ストッパ部が該本体部の外周面から突出する方向に付勢することにより上記ストッパ部を上記本体部の外周面から突出した突出状態とする付勢部材とを備えていることを特徴とする装身具用連結具。
【請求項２】
請求項１記載の装身具用連結具において、
上記ストッパ部は、突出状態では、その突出高さが上記本体部の先端側から基端側に行くに従って次第に大きくなるように形成されていることを特徴とする装身具用連結具。
【請求項３】
請求項１又は２記載の装身具用連結具において、
上記一対の連結部材の一方は、被差し込み部材であり、
上記一対の連結部材の他方は、上記本体部、ストッパ部材及び付勢部材を備え、上記被差し込み部材に差し込み連結可能な差し込み部材であり、
上記本体部の外周面には、係合凹部が形成されており、
上記被差し込み部材は、上記差し込み部材の該被差し込み部材への差し込み時に上記係合凹部に係合可能な係合部と、該係合部の該係合凹部への係合を解除可能な操作部材とを備えていることを特徴とする装身具用連結具。
【請求項４】
請求項１〜３のいずれか１つに記載の装身具用連結具において、
上記ストッパ部材は、上記ストッパ部が該ストッパ部材における上記本体部の基端側の端部に形成されているとともに、上記ストッパ部材における上記本体部の先端側の端部に上記本体部の外周面から出没可能に形成された出没部をさらに有しており、
上記付勢部材は、上記ストッパ部材を、上記ストッパ部及び出没部が上記本体部の外周面から突出する方向に付勢することにより上記ストッパ部及び出没部を上記本体部の外周面から突出した突出状態とするように構成されていることを特徴とする装身具用連結具。
【請求項５】
請求項４記載の装身具用連結具において、
上記一対の連結部材の一方は、被差し込み部材であり、
上記一対の連結部材の他方は、上記本体部、ストッパ部材及び付勢部材を備え、上記被差し込み部材に差し込み連結可能な差し込み部材であり、
上記出没部は、係合部であり、
上記被差し込み部材は、上記差し込み部材の該被差し込み部材への差し込み時に上記係合部が係合可能な被係合部を備えていることを特徴とする装身具用連結具。
【請求項６】
請求項１〜５のいずれか１つに記載の装身具用連結具において、
上記本体部、ストッパ部材及び付勢部材を備えた連結部材は、該本体部の外周面から突出する案内部をさらに備えていることを特徴とする装身具用連結具。
【請求項７】
請求項１〜６のいずれか１つに記載の装身具用連結具において、
上記ストッパ部材及び付勢部材は、一体に形成されていることを特徴とする装身具用連結具。
【請求項８】
一対の連結部材が互いに連結可能に構成された装身具用連結具に用いられる連結部材であって、
本体部と、
上記本体部に設けられているとともに、該本体部の外周面から出没可能なストッパ部を有するストッパ部材と、
上記本体部に設けられ、上記ストッパ部材を、上記ストッパ部が該本体部の外周面から突出する方向に付勢することにより上記ストッパ部を上記本体部の外周面から突出した突出状態とする付勢部材とを備えていることを特徴とする連結部材。
【発明の詳細な説明】
【技術分野】
【０００１】
本発明は、一対の連結部材が互いに連結可能に構成された装身具用連結具及びこれに用いられる連結部材に関するものである。
【背景技術】
【０００２】
一対の連結部材が互いに連結可能に構成された装身具用連結具が従来技術として知られている。
【０００３】
特許文献１のアクセサリ用クラスプ（装身具用連結具）は、第１の係合部を備えた開口部を有するクラスプ本体（連結部材）と、この開口部に挿入連結して第１の係合部と着脱自在に係合する第２の係合部を備えた挿入部材（連結部材）とから構成されている。この挿入部材は、クラスプ本体の挿入方向に対して水平方向に配置された一対の部材から構成されている。この一対の部材は、第２の係合部が開閉するよう固定手段によって連結されていて、第２の係合部が閉じる方向に付勢手段によって付勢されている。
【０００４】
特許文献２のアクセサリ用クラスプは、特許文献１と同様、第１の係合部を備えた開口部を有するクラスプ本体と、この開口部に挿入連結して第１の係合部と着脱自在に係合する第２の係合部を備えた挿入部材とから構成されている。この挿入部材は、挿入側先端が固定され、付勢手段により、挿入方向に対して垂直方向外側に付勢された第１及び第２の部材により構成されている。これらの第１及び第２の部材の開口部側の表面には、各々第１の係合部と係合するための突起状物から構成された第２の係合部を有している。クラスプ本体の開口部の内側には、第２の係合部と係合するための各々係合溝部から構成された第１の係合部を備えている。そして、挿入部材をクラスプ本体の開口部に挿入したときに、クラスプ本体の開口部の内側に設けられた第１の係合部と第２の係合部とが各々係合することによって、クラスプ本体に挿入部を装着する。一方、クラスプ本体から挿入部材を外すときには、挿入部材の後端部を挿入方向に対して垂直内側方向に押圧して、第１の係合部と第２の係合部の係合関係を解除した後、挿入方向と逆方向に引き抜くことによって、クラスプ本体から挿入部材を外すようになっている。
【先行技術文献】
【特許文献】
【０００５】
【特許文献１】特開２０１０−５３７６号公報
【特許文献２】特開２０１０−３５７２２号公報
【発明の概要】
【発明が解決しようとする課題】
【０００６】
ところで、装身具には、トロールビーズ等の孔が形成された装飾体を着脱可能なものがある。そして、装飾体を装身具に着脱可能にするために、装飾体が連結具を通過可能になっている。しかしながら、連結具の連結を解除すれば、いつでも装飾体が連結具を通過して装身具から外れる状態であると、その解除時に、装飾体が意図せず装身具から外れて落下する虞がある。
【０００７】
そこで、図２４に示すように、連結具を第１留め具ａと第２留め具ｂとで構成することが考えられる。この第１留め具ａは、線状部材ｃの一端に設けられたリング部材ａ１と、このリング部材ａ１に着脱可能な着脱部材ａ２とで構成されている。第２留め具ｂは、線状部材ｃの他端に設けられたリング部材ｂ１と、このリング部材ｂ１に着脱可能な着脱部材ｂ２とで構成されている。これらの着脱部材ａ２，ｂ２は、互いに鎖等を介して連結されている。第１留め具ａは装飾体が通過可能な大きさに、第２留め具ｂは装飾体が通過不能な大きさに形成されている。そして、装身具を身に付けたり外したりするときには、第２留め具ｂの着脱部材ｂ２をリング部材ｂ１に着脱する。このとき、第２留め具ｂのリング部材ｂ１及び着脱部材ｂ２により、装飾体が装身具から外れるのを抑制することができる。また、装身具の身への着脱時には、比較的大きい第２留め具ｂを用いるため、その作業を容易に行うことができる。一方、装飾体を取り替えたり、その数を増減させたりするときには、第１留め具ａの着脱部材ａ２をリング部材ａ１に着脱する。そして、第１留め具ａの着脱部材ａ２をリング部材ａ１から取り外したときに、装飾体を第１留め具ａのリング部材ａ１を通過させることにより、装飾体の取り替え等を行う。
【０００８】
また、図２５に示すように、連結具を連結具本体ｄと連結部材ｅとで構成することも考えられる。この連結具本体ｄは、開閉可能になっている。連結部材ｅは、線状部材ｆの両端にそれぞれ設けられている。連結具本体ｄ及び連結部材ｅは、連結具本体ｄを開閉することにより互いに連結可能になっている。また、連結部材ｅの外周面及び装飾体ｈの孔内周面の一方には螺旋状の凸部が、その他方には螺旋状の凹部が形成されている。そして、装身具を身に付けたり外したりするときには、連結具本体ｄを連結部材ｅに着脱する。このとき、凸部及び凹部により、装飾体ｈが装身具から外れるのを抑制することができる。一方、装飾体ｈを取り替えたり、その数を増減させたりするときにも、連結具本体ｄを連結部材ｅに着脱する。そして、連結具本体ｄを連結部材ｅから取り外したときに、装飾体ｈを回転させて連結部ｅを通過させることにより、装飾体ｈの取り替え等を行う。
【０００９】
しかしながら、図２４のものでは、留め具を２つ設ける必要があるため、部材点数が増加し、これに伴い、美観も悪化する。また、装飾体の取り替え等を行うときには、比較的小さい第１留め具ａを用いるため、その作業性が悪化する。
【００１０】
一方、図２５のものでは、装飾体ｈの取り替え等を行うときには、装飾体ｈを回転させて連結部を通過させるため、図２４のものと同様、その作業性が悪化する。また、図２５のものの場合、孔内周面に螺旋状の凸部又は凹部を形成した専用の装飾体ｈが必要となり、汎用性の点で好ましくない。
【００１１】
本発明は、かかる点に鑑みてなされたものであり、その課題とするところは、部材点数を低減しながら、専用の装飾体を必要とすることなく、装飾体の取り替え等を容易に行うことにある。
【課題を解決するための手段】
【００１２】
上記の課題を解決するため、本発明は、連結部材の本体部に出没自在なストッパ部を有するストッパ部材を設けたことを特徴とする。
【００１３】
具体的には、本発明は、一対の連結部材が互いに連結可能に構成された装身具用連結具を対象とし、次のような解決手段を講じた。
【００１４】
すなわち、第１の発明は、上記一対の連結部材の少なくとも一方は、本体部と、上記本体部に設けられているとともに、該本体部の外周面から出没可能なストッパ部を有するストッパ部材と、上記本体部に設けられ、上記ストッパ部材を、上記ストッパ部が該本体部の外周面から突出する方向に付勢することにより上記ストッパ部を上記本体部の外周面から突出した突出状態とする付勢部材とを備えていることを特徴とするものである。
【００１５】
これによれば、一対の連結部材の少なくとも一方が、本体部と、ストッパ部材と、付勢部材とを備えている。ストッパ部材が、本体部に設けられているとともに、本体部の外周面から出没可能なストッパ部を有している。そして、付勢部材が、本体部に設けられ、ストッパ部材を、ストッパ部が本体部の外周面から突出する方向に付勢することによりストッパ部を本体部の外周面から突出した突出状態とする。このため、装身具を身に付けたり外したりするときに、突出状態におけるストッパ部により、装飾体が装身具から外れるのを抑制することができる。
【００１６】
一方、装飾体を取り替えたり、その数を増減させたりするときに、突出状態におけるストッパ部（ストッパ部材）を付勢部材の付勢力に抗して本体部側に向かって押圧すると、ストッパ部が本体部内に没入した没入状態となる。つまり、突出状態におけるストッパ部を押圧するという簡単な作業で、ストッパ部が没入状態となる。この状態で、装飾体を没入状態におけるストッパ部を通過させると、装飾体の取り替え等を行うことができる。
【００１７】
以上により、部材点数を低減しながら、専用の装飾体を必要とすることなく、装飾体の取り替え等を容易に行うことができる。
【００１８】
なお、没入状態とは、ストッパ部の全部が本体部内に没入した状態は勿論、ストッパ部の一部が本体部内に没入した状態もいう。
【００１９】
第２の発明は、上記第１の発明において、上記ストッパ部は、突出状態では、その突出高さが上記本体部の先端側から基端側に行くに従って次第に大きくなるように形成されていることを特徴とするものである。
【００２０】
これによれば、ストッパ部が、突出状態では、その突出高さが本体部の先端側から基端側に行くに従って徐々に大きくなるように形成されているので、装飾体を取り付けるときに、装飾体を本体部の先端側から突出状態におけるストッパ部まで移動させると、装飾体の孔内周面により、突出状態におけるストッパ部（ストッパ部材）が付勢部材の付勢力に抗して本体部側に向かって押圧され、ストッパ部が没入状態となる。つまり、装飾体の移動という簡単な作業で、ストッパ部が没入状態となる。そして、装飾体を本体部の基端側に移動させて、没入状態におけるストッパ部を通過させると、ストッパ部が付勢部材の付勢力により自動的に突出状態となる。以上により、装飾体の取り替え等をより一層容易に行うことができる。
【００２１】
第３の発明は、上記第１又は第２の発明において、上記一対の連結部材の一方は、被差し込み部材であり、上記一対の連結部材の他方は、上記本体部、ストッパ部材及び付勢部材を備え、上記被差し込み部材に差し込み連結可能な差し込み部材であり、上記本体部の外周面には、係合凹部が形成されており、上記被差し込み部材は、上記差し込み部材の該被差し込み部材への差し込み時に上記係合凹部に係合可能な係合部と、該係合部の該係合凹部への係合を解除可能な操作部材とを備えていることを特徴とするものである。
【００２２】
これによれば、差し込み部材の被差し込み部材への差し込み時に係合凹部に係合可能な係合部と、係合部の係合凹部への係合を解除可能な操作部材とが、被差し込み部材に設けられている。つまり、係合部の係合凹部への係合及びその解除のための機構が、本体側の被差し込み部材に集中的に設けられている。このため、係合部の係合凹部への係合及びその解除を容易に行うことができる。
【００２３】
第４の発明は、上記第１〜第３のいずれか１つの発明において、上記ストッパ部材は、上記ストッパ部が該ストッパ部材における上記本体部の基端側の端部に形成されているとともに、上記ストッパ部材における上記本体部の先端側の端部に上記本体部の外周面から出没可能に形成された出没部をさらに有しており、上記付勢部材は、上記ストッパ部材を、上記ストッパ部及び出没部が上記本体部の外周面から突出する方向に付勢することにより上記ストッパ部及び出没部を上記本体部の外周面から突出した突出状態とするように構成されていることを特徴とするものである。
【００２４】
これによれば、ストッパ部が、ストッパ部材における本体部の基端側の端部に、本体部の外周面から出没可能な出没部が、ストッパ部材における本体部の先端側の端部に形成されている。そして、付勢部材が、ストッパ部材を、ストッパ部及び出没部が本体部の外周面から突出する方向に付勢することによりストッパ部及び出没部を本体部の外周面から突出した突出状態とする。このため、装飾体を取り替えたり、その数を増減させたりする場合であって、ストッパ部及び出没部の一方が装飾体の孔内周面の段差に引っ掛かったときに、突出状態におけるストッパ部及び出没部の他方（ストッパ部材）を付勢部材の付勢力に抗して本体部側に向かって押圧すると、ストッパ部及び出没部が連動して没入状態となる。つまり、突出状態におけるストッパ部又は出没部を押圧するという簡単な作業で、ストッパ部及び出没部が没入状態となる。この状態で、装飾体を移動させて、没入状態におけるストッパ部及び出没部の一方を通過させると、ストッパ部及び出没部の一方の、装飾体の孔内周面の段差への引っ掛かりが解除される。したがって、ストッパ部及び出没部の一方が装飾体の孔内周面の段差に引っ掛かったときに、その引っ掛かりを容易に解除することができる。
【００２５】
なお、没入状態とは、ストッパ部及び出没部の全部が本体部内に没入した状態は勿論、ストッパ部及び出没部の一部が本体部内に没入した状態もいう。
【００２６】
第５の発明は、上記第４の発明において、上記一対の連結部材の一方は、被差し込み部材であり、上記一対の連結部材の他方は、上記本体部、ストッパ部材及び付勢部材を備え、上記被差し込み部材に差し込み連結可能な差し込み部材であり、上記出没部は、係合部であり、上記被差し込み部材は、上記差し込み部材の該被差し込み部材への差し込み時に上記係合部が係合可能な被係合部を備えていることを特徴とするものである。
【００２７】
これによれば、一対の連結部材の一方が、被差し込み部材であり、一対の連結部材の他方が、本体部、ストッパ部材及び付勢部材を備え、被差し込み部材に差し込み連結可能な差し込み部材である。そして、出没部が、係合部であり、差し込み部材の被差し込み部材への差し込み時に係合部が係合可能な被係合部が、被差し込み部材に設けられている。このため、係合部の被係合部への係合時に、突出状態におけるストッパ部（ストッパ部材）を付勢部材の付勢力に抗して本体部側に向かって押圧すると、ストッパ部及び係合部が連動して没入状態となり、係合部の被係合部への係合が解除される。つまり、突出状態におけるストッパ部を押圧するという簡単な作業で、係合部の被係合部への係合が解除される。したがって、差し込み部材を被差し込み部材から容易に取り外すことができる。
【００２８】
さらに、係合部の被係合部への係合及びその解除のための機構が、差し込み部材に集中的に設けられているので、被差し込み部材を簡単な構成にすることができる。
【００２９】
第６の発明は、上記第１〜第５のいずれか１つの発明において、上記本体部、ストッパ部材及び付勢部材を備えた連結部材は、該本体部の外周面から突出する案内部をさらに備えていることを特徴とするものである。
【００３０】
これによれば、本体部の外周面から突出する案内部が、連結部材に設けられているので、装身具を身に付けたり外したりするときに、案内部により、装飾体が装身具から外れるのをより一層抑制することができる。
【００３１】
一方、装飾体を取り替えたり、その数を増減させたりするときは、装飾体を、案内部を案内通過させることができる。このため、装飾体の取り替え等の容易性を維持することができる。
【００３２】
第７の発明は、上記第１〜第６のいずれか１つの発明において、上記ストッパ部材及び付勢部材は、一体に形成されていることを特徴とするものである。
【００３３】
これによれば、ストッパ部材及び付勢部材が一体に形成されているので、ストッパ部材及び付勢部材を別々に形成した場合と比較して、部材点数を低減することができるとともに、本体部、ストッパ部材及び付勢部材を備えた連結部材の組立を容易に行うことができる。
【００３４】
また、別の発明は、一対の連結部材が互いに連結可能に構成された装身具用連結具に用いられる連結部材を対象とし、次のような解決手段を講じた。
【００３５】
すなわち、第８の発明は、本体部と、上記本体部に設けられているとともに、該本体部の外周面から出没可能なストッパ部を有するストッパ部材と、上記本体部に設けられ、上記ストッパ部材を、上記ストッパ部が該本体部の外周面から突出する方向に付勢することにより上記ストッパ部を上記本体部の外周面から突出した突出状態とする付勢部材とを備えていることを特徴とするものである。
【００３６】
これによれば、上記第１の発明と同様の作用効果が得られる。
【発明の効果】
【００３７】
本発明によれば、装身具を身に付けたり外したりするときに、突出状態におけるストッパ部により、装飾体が装身具から外れるのを抑制することができる一方、装飾体を取り替えたり、その数を増減させたりするときに、突出状態におけるストッパ部（ストッパ部材）を付勢部材の付勢力に抗して本体部側に向かって押圧すると、ストッパ部が本体部内に没入した没入状態となり、この状態で、装飾体を連結部材を通過させると、装飾体の取り替え等を行うことができ、以上により、部材点数を低減しながら、専用の装飾体を必要とすることなく、装飾体の取り替え等を容易に行うことができる。
【図面の簡単な説明】
【００３８】
【図１】本発明の実施形態１に係る、差し込み部材を本体部材から取り外した状態におけるブレスレット用連結具を示す斜視図である。
【図２】実施形態１に係るブレスレット用連結具を示す分解斜視図である。
【図３】実施形態１に係る、差し込み部材を本体部材に取り付けた状態におけるブレスレット用連結具を示す断面図である。
【図４】実施形態１に係るブレスレット用連結具の差し込み部材を示す断面図であり、（ａ）は突出状態におけるストッパ部を示す図、（ｂ）は没入状態におけるストッパ部を示す図である。
【図５】実施形態２に係る、差し込み部材を本体部材から取り外した状態におけるブレスレット用連結具を示す斜視図である。
【図６】実施形態２に係るブレスレット用連結具を示す分解斜視図である。
【図７】実施形態２に係るブレスレット用連結具の差し込み部材を示す断面図であり、（ａ）は突出状態におけるストッパ部及び係合部を示す図、（ｂ）は没入状態におけるストッパ部及び係合部を示す図である。
【図８】実施形態２の変形例に係る、差し込み部材を本体部材に取り付けた状態におけるブレスレット用連結具を示す断面図である。
【図９】実施形態３に係るブレスレット用連結具の差し込み部材を示す斜視図である。
【図１０】実施形態３に係るブレスレット用連結具の差し込み部材を示す分解斜視図である。
【図１１】実施形態３に係るブレスレット用連結具の差し込み部材を示す断面図である。
【図１２】実施形態４に係るブレスレット用連結具の差し込み部材を示す斜視図である。
【図１３】実施形態４に係るブレスレット用連結具の差し込み部材を示す分解斜視図である。
【図１４】実施形態４に係るブレスレット用連結具の差し込み部材を示す断面図である。
【図１５】実施形態５に係るブレスレット用連結具の差し込み部材を示す斜視図である。
【図１６】実施形態５に係るブレスレット用連結具の差し込み部材を示す分解斜視図である。
【図１７】実施形態５に係るブレスレット用連結具の差し込み部材を示す断面図であり、（ａ）は突出状態におけるストッパ部を示す図、（ｂ）は没入状態におけるストッパ部を示す図である。
【図１８】実施形態６に係る、差し込み部材を本体部材から取り外した状態におけるブレスレット用連結具を示す斜視図である。
【図１９】実施形態６に係るブレスレット用連結具を示す分解斜視図である。
【図２０】実施形態６に係る、差し込み部材を本体部材に取り付けた状態におけるブレスレット用連結具を示す断面図である。
【図２１】実施形態７に係る、連結部材同士の連結を解除した状態におけるブレスレット用連結具を示す斜視図である。
【図２２】実施形態７に係るブレスレット用連結具を示す分解斜視図である。
【図２３】実施形態７に係る、連結部材同士を連結した状態におけるブレスレット用連結具を示す断面図である。
【図２４】装身具用連結具を示す分解斜視図である。
【図２５】装身具用連結具を示す分解斜視図である。
【発明を実施するための形態】
【００３９】
以下、本発明の実施形態を図面に基づいて詳細に説明する。以下の好ましい実施形態の説明は、本質的に例示に過ぎず、本発明、その適用物或いはその用途を制限することを意図するものではない。
【００４０】
（実施形態１）
図１は、本発明の実施形態１に係る、差し込み部材を本体部材から取り外した状態におけるブレスレット用連結具（装身具用連結具）を示す斜視図である。図２は、実施形態１に係るブレスレット用連結具を示す分解斜視図である。図３は、実施形態１に係る、差し込み部材を本体部材に取り付けた状態におけるブレスレット用連結具を示す断面図である。図４は、実施形態１に係るブレスレット用連結具の差し込み部材を示す断面図であり、（ａ）は突出状態におけるストッパ部を示す図、（ｂ）は没入状態におけるストッパ部を示す図である。
【００４１】
図１〜図４に示すように、ブレスレットは、トロールビーズ等の孔１ａが形成された装飾体１（図１のみ図示。図１の例では、円型）を着脱可能になっている。ブレスレットは、チェーンやロープ等の線状部材２と、この線状部材２に連結されたブレスレット用連結具３（以下、単に「連結具」という）とを備えている。線状部材２には、装飾体１が外嵌される。
【００４２】
上記連結具３は、本体部材４（連結部材）（被差し込み部材）と、この本体部材４に差し込み連結可能な差し込み部材５（連結部材）とを備えている。本体部材４は、装飾体１が通過不能な大きさに形成されている。本体部材４は、ケース６と、後述する係合部７０ｅ，７１ｅの係合溝部５１への係合を解除可能な操作部材７とを有している。
【００４３】
ケース６は、直方体筐体状に形成されている。ケース６における差し込み部材５側の面には、この差し込み部材５が差し込まれる円状の差し込み孔６０が形成されている。この差し込み孔６０の内周面は、ケース６の内側から外側に行くに従って次第に直径が大きくなるテーパ状に形成されている。このテーパ形状により、差し込み部材５をケース６の内部に確実に案内することができる。ケース６における差し込み孔６０とは反対側の端部には、線状部材２の一端が連結される連結部６１が形成されている。
【００４４】
ケース６の内部における差し込み部材５の本体部材４への差し込み方向（以下、単に「差し込み方向」という。図３では、左右方向）の両側には、垂直壁状の内壁部６２が１つずつそれぞれ一体に形成されている。この内壁部６２は、差し込み方向と直交する方向に延びるように形成されている。内壁部６２同士の内側空間は、操作部材７が挿入される挿入孔６３を構成している。内壁部６２は、後述する第１ブロック部材７０及び第２ブロック部材７１を差し込み方向と直交する方向に案内する。内壁部６２における差し込み孔６０に対応する部分には、円状の挿通孔６２ａが形成されている。この挿通孔６２ａには、差し込み部材５の本体部材４への差し込み時に差し込み孔６０から差し込まれた差し込み部材５が挿通される。内壁部６２における、第１ブロック部材７０の第１貫通孔７０ｂ及び第２ブロック部材７１の第２貫通孔７１ｃに対応する部分には、円状の貫通孔６２ｂが形成されている。
【００４５】
上記操作部材７は、第１ブロック部材７０と、この第１ブロック部材７０と差し込み方向と直交する方向に組み合わされる第２ブロック部材７１と、これらの第１ブロック部材７０及び第２ブロック部材７１の間に挟持されるコイルばね７３と、ケース６、第１ブロック部材７０及び第２ブロック部材７１を互いに結合するためのピン部材７４とを有している。
【００４６】
第１ブロック部材７０における第２ブロック部材７１とは反対側の端部には、楕円状の操作部７０ａが形成されている。この操作部７０ａは、挿入孔６３の一方の開口端部（図３では、上側の開口端部）から突出している。第１ブロック部材７０における操作部７０ａよりも第２ブロック部材７１側の部分には、差し込み方向に互いに対向する一対の円状の第１貫通孔７０ｂが形成されている。第１ブロック部材７０における第１貫通孔７０ｂよりも第２ブロック部材７１側の部分には、差し込み方向に互いに対向する一対の円状の第２貫通孔７０ｃが形成されている。これらの第２貫通孔７０ｃは、第１貫通孔７０ｂよりも差し込み方向の内側に配置されている。第１ブロック部材７０における第２貫通孔７０ｃの、第２ブロック部材７１とは反対側近傍には、差し込み方向に延びる壁部７０ｄが形成されている。この壁部７０ｄにおける差し込み部材５側の端部には、差し込み部材５の本体部材４への差し込み時に係合溝部５１に係合可能な係合部７０ｅが形成されている。この係合部７０ｅは、壁部７０ｄにおける、第１ブロック部材７０及び第２ブロック部材７１の組み合わせ方向（以下、単に「組み合わせ方向」という。図３では、上下方向）の内側の面から組み合わせ方向の内側に突出している。
【００４７】
上記第２ブロック部材７１は、第１ブロック部材７０と同様の形状である。つまり、第２ブロック部材７１における第１ブロック部材７０とは反対側の端部には、楕円状の操作部７１ａが形成されている。この操作部７１ａは、挿入孔６３の他方の開口端部（図３では、下側の開口端部）から突出している。第２ブロック部材７１における操作部７１ａよりも第１ブロック部材７０側の部分には、差し込み方向に互いに対向する一対の円状の第１貫通孔７１ｂが形成されている。これらの第１貫通孔７１ｂの周縁部は、第１ブロック部材７０の第２貫通孔７０ｃの周縁部の、差し込み方向の外側に嵌合配置されている。第２ブロック部材７１における第１貫通孔７１ｂよりも第１ブロック部材７０側の部分には、差し込み方向に互いに対向する一対の円状の第２貫通孔７１ｃが形成されている。これらの第２貫通孔７１ｃは、第１貫通孔７１ｂよりも差し込み方向の内側に配置されている。第２貫通孔７１ｃの周縁部は、第１ブロック部材７０の第１貫通孔７０ｂの周縁部の、差し込み方向の内側に嵌合配置されている。第２ブロック部材７１における第２貫通孔７１ｃの、第１ブロック部材７０とは反対側近傍には、差し込み方向に延びる壁部７１ｄが形成されている。この壁部７１ｄにおける差し込み部材５側の端部には、差し込み部材５の本体部材４への差し込み時に係合溝部５１に係合可能な係合部７１ｅが形成されている。この係合部７１ｅは、壁部７１ｄにおける組み合わせ方向の内側の面から組み合わせ方向の内側に突出している。
【００４８】
上記コイルばね７３は、第１ブロック部材７０の壁部７０ｄにおける組み合わせ方向の外側の面と第２ブロック部材７１の操作部７１ａにおける組み合わせ方向の内側の面（内面）との間に配置されている。コイルばね７３は、第１ブロック部材７０及び第２ブロック部材７１をその組み合わせ方向の外側（第１ブロック部材７０及び第２ブロック部材７１を互いに離間する方向）に付勢している。
【００４９】
上記ピン部材７４は、円筒状の本体部７４ａと、この本体部７４ａの両端部にその開口部から出没可能に設けられた出没部７４ｂと、本体部７４ａの内部に設けられたコイルばね（図示省略）とを有している。このコイルばねは、出没部７４ｂを本体部７４ａの開口部から突出する方向に付勢している。この付勢力により、出没部７４ｂは、本体部７４ａの開口部から突出した突出状態となる。一方、突出状態における出没部７４ｂをコイルばねの付勢力に抗して本体部７４ａ側（軸方向内側）に向かって押圧すると、出没部７４ｂが本体部７４ａ内に没入した没入状態となる。また、出没部７４ｂへの押圧を解除すると、出没部７４ｂがコイルばねの付勢力により自動的に突出状態となる。
【００５０】
ピン部材７４は、第１ブロック部材７０の第１貫通孔７０ｂ及び第２ブロック部材７１の第２貫通孔７１ｃを挿通した状態で、その出没部７４ｂが内壁部６２の貫通孔６２ｂに内嵌されている。つまり、ケース６、第１ブロック部材７０及び第２ブロック部材７１は、ピン部材７４を介して互いに結合されている。一方、ケース６、第１ブロック部材７０及び第２ブロック部材７１がピン部材７４を介して互いに結合されているときに、出没部７４ｂを没入状態とし、ピン部材７４をケース６、第１ブロック部材７０及び第２ブロック部材７１から取り外すと、ケース６、第１ブロック部材７０及び第２ブロック部材７１が互いに分離される。
【００５１】
上記差し込み部材５は、円柱状の本体部５０を有している。この本体部５０は、装飾体１が通過可能な大きさに形成されている。本体部５０は、その先端側に形成された相対的に小径の小径部５０ａと、その基端側に形成された相対的に大径の大径部５０ｂとを有している。この大径部５０ｂにより、使用者は、差し込み部材５を容易に摘まむことができる。小径部５０ａ及び大径部５０ｂは、一体に形成されている。
【００５２】
小径部５０ａにおける本体部５０基端側（軸方向の大径部５０ｂ側）の端部の外周面には、差し込み部材５の本体部材４への差し込み時に係合部７０ｅ，７１ｅが係合可能な係合溝部５１（係合凹部）が全周に亘って形成されている。この係合溝部５１の底面は、その直径が本体部５０の先端側から基端側まで一定になるように形成されている。小径部５０ａにおける係合溝部５１よりも本体部５０基端側の部分は、本体部５０の先端側から基端側に行くに従って次第に直径が大きくなるテーパ状に形成されている。小径部５０ａにおける係合溝部５１よりも本体部５０先端側の部分は、本体部５０の基端側から先端側に行くに従って次第に直径が小さくなるテーパ状に形成されている。このテーパ形状により、差し込み部材５をケース６の内部に確実に案内することができる。小径部５０ａの先端面は、曲面状に形成されている。この曲面形状により、使用者が負傷することを抑制することができる。
【００５３】
大径部５０ｂにおける本体部５０先端側（軸方向の小径部５０ａ側）の端部は、小径部５０ａにおける本体部５０基端側の端部と直径が同じである。大径部５０ｂは、本体部５０の先端側から基端側に行くに従って次第に直径が大きくなるように形成されている。大径部５０ｂの基端部には、線状部材２の他端が連結される連結部５２が形成されている。
【００５４】
大径部５０ｂの内部には、軸方向に延びる収容空間部５３が形成されている。大径部５０ｂにおける径方向に互いに対向する部分の外周面には、軸方向に延びる矩形状の開口部５４ａがそれぞれ形成されている。これらの開口部５４ａは、収容空間部５３と連通している。この収容空間部５３には、一対のストッパ部材８０と、ねじりばね８１（付勢部材）とが収容されている。このストッパ部材８０は、ブレスレットを腕に付けたり外したりするときに、装飾体１がブレスレットから外れるのを抑制するものである。一対のストッパ部材８０は、開口部５４ａの対向方向（図４では、上下方向）に互いに対向するように配置されている。
【００５５】
各ストッパ部材８０は、互いに同様の形状である。つまり、各ストッパ部材８０は、大径部５０ｂの対応する開口部５４ａから出没可能なストッパ部８０ａを有している。このストッパ部８０ａは、ストッパ部８０ａを大径部５０ｂ内に没入した没入状態（図４（ｂ）を参照）とするためのボタンでもある。ストッパ部８０ａにおける本体部５０基端側の端部以外の部分は、ストッパ部８０ａが大径部５０ｂの開口部５４ａから突出した突出状態（図４（ａ）等を参照）では、その突出高さ（本体部５０の軸心からの距離）が本体部５０の先端側から基端側に行くに従って次第に大きくなるように、その突出側の面（外面）が曲面状（傾斜面状）に形成されている。一方、ストッパ部８０ａにおける本体部５０基端側の端部は、突出状態では、その突出高さが本体部５０の先端側から基端側まで一定になるように、その突出側の面が平面状に形成されている。ストッパ部８０ａおける本体部５０先端側の端部は、突出状態では、その突出側の面が大径部５０ｂの外周面と段差なく連続するように形成されている。ストッパ部８０ａにおける突出側とは反対側の面（内面）には、ねじりばね８１の腕部８１ｂが収容される収容凹部８０ｂが形成されている。この収容凹部８０ｂの底面には、腕部８１ｂが接触支持されている。
【００５６】
ストッパ部８０ａにおける、大径部５０ｂの径方向のうち開口部５４ａの対向方向と直交する方向（図４では、その紙面を貫く方向）の一方側の端部には、略三角形状の壁部８０ｃが形成されている。この壁部８０ｃにおける本体部５０先端側の端部には、円状の挿通孔８０ｄが形成されている。この挿通孔８０ｄには、大径部５０ｂの径方向のうち開口部５４ａの対向方向と直交する方向に延びる軸部材８２が挿通されている。この軸部材８２の両端部は、大径部５０ｂにおけるこの両端部に対応する部分に形成された固定孔５５にそれぞれ嵌合固定されている。軸部材８２には、ねじりばね８１のコイル部８１ａが外嵌されている。このコイル部８１ａは、各ストッパ部材８０の壁部８０ｃの間に配置されている。
【００５７】
上記ねじりばね８１は、螺旋状のコイル部８１ａと、このコイル部８１ａの両端からそれぞれ接線方向に延びる一対の腕部８１ｂとを有している。ねじりばね８１は、ストッパ部材８０を、ストッパ部８０ａが大径部５０ｂの開口部５４ａから突出する方向に付勢している。この付勢力により、ストッパ部８０ａは、大径部５０ｂの開口部５４ａから突出した突出状態となる。この突出状態では、装飾体１は、本体部５０を通過不能になっている。
【００５８】
以下、差し込み部材５を本体部材４に取り付ける作業について説明する。
【００５９】
差し込み部材５を本体部材４に取り付けるときには、まず、差し込み部材５を差し込み孔６０に差し込んでいく。すると、小径部５０ａが内壁部６２の挿通孔６２ａ並びに第１ブロック部材７０及び第２ブロック部材７１の第１貫通孔７０ｂ，７１ｂの間の隙間を通過して、係合部７０ｅ，７１ｅに当接する。差し込み部材５をさらに押し込むと、小径部５０ａにより、係合部７０ｅ，７１ｅがコイルばね７３の付勢力に抗して係合部７０ｅ，７１ｅが互いに離間する方向に移動する。そして、差し込み部材５をさらに押し込んで、係合溝部５１が係合部７０ｅ，７１ｅに到達すると、係合部７０ｅ，７１ｅがコイルばね７３の付勢力により係合部７０ｅ，７１ｅが互いに近付く方向に移動して、係合溝部５１に引っ掛かり係合する。以上により、差し込み部材５の本体部材４への取り付けが完了する。
【００６０】
以下、差し込み部材５を本体部材４から取り外す作業について説明する。
【００６１】
差し込み部材５を本体部材４から取り外すときには、まず、第１ブロック部材７０及び第２ブロック部材７１の操作部７０ａ，７１ａをコイルばね７３の付勢力に抗して組み合わせ方向の内側に押圧する。すると、係合部７０ｅ，７１ｅが互いに離間する方向に移動して、係合部７０ｅ，７１ｅの係合溝部５１への引っ掛かり係合が解除される。この状態で、差し込み部材５を差し込み孔６０の外側に引っ張る。以上により、差し込み部材５の本体部材４からの取り外しが完了する。
【００６２】
以下、装飾体１をブレスレットから取り外す作業について説明する。この作業時には、差し込み部材５は、本体部材４から取り外されている。
【００６３】
装飾体１をブレスレットから取り外すときには、まず、突出状態におけるストッパ部８０ａ（ストッパ部材８０）をねじりばね８１の付勢力に抗して本体部５０側（径方向内側）に向かって押圧する。すると、ストッパ部材８０が軸部材８２周りに回動して、ストッパ部８０ａが大径部５０ｂ内に没入した没入状態となる。この状態で、装飾体１を本体部５０の先端側に移動させて、没入状態におけるストッパ部８０ａを通過させ、本体部５０から取り外す。以上により、装飾体１のブレスレットからの取り外しが完了する。
【００６４】
以下、装飾体１をブレスレットに取り付ける作業について説明する。この作業時には、差し込み部材５は、本体部材４から取り外されている。
【００６５】
装飾体１をブレスレットに取り付けるときには、まず、装飾体１を本体部５０の先端側から突出状態におけるストッパ部８０ａまで移動させる。すると、装飾体１の孔１ａ内周面により、突出状態におけるストッパ部８０ａ（ストッパ部材８０）がねじりばね８１の付勢力に抗して本体部５０側に向かって押圧され、ストッパ部材８０が軸部材８２周りに回動して、ストッパ部８０ａが没入状態となる。そして、装飾体１を本体部５０の基端側にさらに移動させて、没入状態におけるストッパ部８０ａを通過させると、ストッパ部８０ａがねじりばね８１の付勢力により自動的に突出状態となる。以上により、装飾体１のブレスレットへの取り付けが完了する。
【００６６】
−効果−
以上により、本実施形態によれば、差し込み部材５が、本体部５０と、ストッパ部材８０と、ねじりばね８１とを備えている。ストッパ部材８０が、本体部５０の内部に設けられているとともに、本体部５０の外周面から出没可能なストッパ部８０ａを有している。そして、ねじりばね８１が、本体部５０の内部に設けられ、ストッパ部材８０を、ストッパ部８０ａが本体部５０の外周面から突出する方向に付勢することによりストッパ部８０ａを本体部５０の外周面から突出した突出状態とする。このため、ブレスレットを腕に付けたり外したりするときに、突出状態におけるストッパ部８０ａにより、装飾体１がブレスレットから外れるのを抑制することができる。
【００６７】
一方、装飾体１を取り替えたり、その数を増減させたりするときに、突出状態におけるストッパ部８０ａ（ストッパ部材８０）をねじりばね８１の付勢力に抗して本体部５０側に向かって押圧すると、ストッパ部８０ａが本体部５０内に没入した没入状態となる。つまり、突出状態におけるストッパ部８０ａを押圧するという簡単な作業で、ストッパ部８０ａが没入状態となる。この状態で、装飾体１を没入状態におけるストッパ部８０ａを通過させると、装飾体１の取り替え等を行うことができる。
【００６８】
以上により、部材点数を低減しながら、専用の装飾体を必要とすることなく、装飾体１の取り替え等を容易に行うことができる。
【００６９】
また、ストッパ部８０ａが、突出状態では、その突出高さが本体部５０の先端側から基端側に行くに従って徐々に大きくなるように形成されているので、装飾体１を取り付けるときに、装飾体１を本体部５０の先端側から突出状態におけるストッパ部８０ａまで移動させると、装飾体１の孔１ａ内周面により、突出状態におけるストッパ部８０ａ（ストッパ部材８０）がねじりばね８１の付勢力に抗して本体部５０側に向かって押圧され、ストッパ部８０ａが没入状態となる。つまり、装飾体１の移動という簡単な作業で、ストッパ部８０ａが没入状態となる。そして、装飾体１を本体部５０の基端側にさらに移動させて、没入状態におけるストッパ部８０ａを通過させると、ストッパ部８０ａがねじりばね８１の付勢力により自動的に突出状態となる。以上により、装飾体１の取り替え等をより一層容易に行うことができる。
【００７０】
また、差し込み部材５の本体部材４への差し込み時に係合溝部５１に係合可能な係合部７０ｅ，７１ｅと、係合部７０ｅ，７１ｅの係合溝部５１への係合を解除可能な操作部材７とが、本体部材４に設けられている。つまり、係合部７０ｅ，７１ｅの係合溝部５１への係合及びその解除のための機構が、本体部材４に集中的に設けられている。このため、係合部７０ｅ，７１ｅの係合溝部５１への係合及びその解除を容易に行うことができる。
【００７１】
なお、本実施形態では、本体部材４を上述の如く構成したが、その構成は、係合部及び操作部材を有する限り、如何なるものであってもよい。
【００７２】
（実施形態２）
本実施形態は、ストッパ部材が本体部の外周面から出没可能に形成された係合部（出没部）をさらに有している点等が実施形態１と異なっているが、その他の点については、実施形態１と同様の構成である。そこで、以下の説明では、実施形態１の構成要素と同様の構成要素については、同一の符号を用いて説明を行う。
【００７３】
図５は、実施形態２に係る、差し込み部材を本体部材から取り外した状態における連結具を示す斜視図である。図６は、実施形態２に係る連結具を示す分解斜視図である。図７は、実施形態２に係る連結具の差し込み部材を示す断面図であり、（ａ）は突出状態におけるストッパ部及び係合部を示す図、（ｂ）は没入状態におけるストッパ部及び係合部を示す図である。
【００７４】
図５〜図７に示すように、本体部材４は、円柱状に形成されている。本体部材４における差し込み部材５側の面には、この差し込み部材５が差し込まれる円状の差し込み孔４０が形成されている。この差し込み孔４０の内周面は、相対的に小径の第１小径部４０ａと、相対的に大径の大径部４０ｂと、相対的に小径の第２小径部４０ｃとを有している。これらの第１小径部４０ａ、大径部４０ｂ及び第２小径部４０ｃは、この順で差し込み孔４０の開口部側からその反対側に配置されている。
【００７５】
第１小径部４０ａ、大径部４０ｂ及び第２小径部４０ｃは、差し込み孔４０の開口部側からその反対側まで内径が一定になるように形成されている。第１小径部４０ａと大径部４０ｂとの間の段差部は、差し込み部材５の本体部材４への差し込み時に差し込み部材５の係合部８０が係合可能な被係合部４１を構成している。本体部材４における差し込み孔４０とは反対側の端部には、線状部材２の一端が連結される連結部４２が形成されている。
【００７６】
差し込み部材５は、略円筒状の本体部５０を有している。小径部５０ａ及び大径部５０ｂは、パッキン８３を介して互いに螺合連結されている。このパッキン８３は、小径部５０ａ及び大径部５０ｂの螺合が緩むのを防止するためのものである。
【００７７】
小径部５０ａは、本体部５０の基端側から先端側に行くに従って次第に直径が小さくなるテーパ状に形成されている。小径部５０ａの先端面は、曲面状に形成されている。大径部５０ｂは、本体部５０の先端側から基端側まで直径が一定になるように形成されている。
【００７８】
本体部５０の内部空間は、収容空間部５３を構成している。大径部５０ｂにおける本体部５０基端側の端部の外周面には、径方向に互いに対向する部分に軸方向に延びる矩形状の開口部５４ａがそれぞれ形成されている。大径部５０ｂにおける本体部５０先端側の端部の外周面には、開口部５４ａの対向方向（図７では、上下方向）に互いに対向する部分に軸方向に延びる矩形状の第２開口部５４ｂがそれぞれ形成されている。これらの開口部５４ａ，５４ｂは、収容空間部５３と連通している。この収容空間部５３には、一対のストッパ部材８０と、コイルばね８４（付勢部材）とが収容されている。この一対のストッパ部材８０は、Ｘ字状に配置されている。
【００７９】
各ストッパ部材８０は、互いに同様の形状である。つまり、各ストッパ部材８０は、板棒状の本体部８０ｅを有している。この本体部８０ｅは、その中央部に大径部５０ｂの径方向のうち開口部５４ａの対向方向と直交する方向（図７では、その紙面を貫く方向）に延びるように設けられた回動軸８５の周りに回動可能になっている。本体部８０ｅにおける本体部５０基端側の端部には、大径部５０ｂの対応する開口部５４ａから出没可能なストッパ部８０ａが形成されている。これらのストッパ部８０ａは、開口部５４ａの対向方向に互いに対向するように配置されている。本体部８０ｅにおける本体部５０先端側の端部には、大径部５０ｂの対応する第２開口部５４ｂから出没可能な係合部８０ｆが形成されている。これらの係合部８０ｆは、開口部５４ａの対向方向に互いに対向するように配置されている。ストッパ部８０ａ及び係合部８０ｆは、ストッパ部８０ａ及び係合部８０ｆを大径部５０ｂ内に没入した没入状態（図７（ｂ）を参照）とするためのボタンでもある。ストッパ部８０ａ及び係合部８０ｆは、大径部５０ｂの開口部５４ａ，５４ｂから突出した突出状態（図７（ａ）等を参照）では、その突出高さが本体部５０の先端側から基端側に行くに従って次第に大きくなるように、その突出側の面（外面）が傾斜面状に形成されている。
【００８０】
係合部８０ｆにおける突出側とは反対側の面（内面）には、開口部５４ａの対向方向の内側に突出する円状の突出部８０ｇが形成されている。この突出部８０ｇには、コイルばね８４の軸方向一端部が外嵌される。このコイルばね８４は、ストッパ部材８０を、ストッパ部８０ａ及び係合部８０ｆが大径部５０ｂの開口部５４ａ，５４ｂから突出する方向に付勢している。この付勢力により、ストッパ部８０ａ及び係合部８０ｆは、大径部５０ｂの開口部５４ａ，５４ｂから突出した突出状態となる。この突出状態では、装飾体１は、本体部５０を通過不能になっている。
【００８１】
以下、差し込み部材５を本体部材４に取り付ける作業について説明する。
【００８２】
差し込み部材５を本体部材４に取り付けるときには、まず、差し込み部材５を差し込み孔４０に差し込んでいく。すると、第１小径部４０ａの内周面により、突出状態における係合部８０ｆ（ストッパ部材８０）がコイルばね８４の付勢力に抗して本体部５０側（径方向内側）に向かって押圧され、ストッパ部材８０が回動軸８５周りに回動して、ストッパ部８０ａ及び係合部８０ｆが連動して大径部５０ｂ内に没入した没入状態となる。そして、差し込み部材５をさらに押し込んで、没入状態における係合部８０ｆが第１小径部４０ａを通過すると、ストッパ部８０ａ及び係合部８０ｆがコイルばね８４の付勢力により自動的に突出状態となり、突出状態における係合部８０ｆが被係合部４１に引っ掛かり係合する。以上により、差し込み部材５の本体部材４への取り付けが完了する。
【００８３】
以下、差し込み部材５を本体部材４から取り外す作業について説明する。
【００８４】
差し込み部材５を本体部材４から取り外すときには、まず、突出状態におけるストッパ部８０ａ（ストッパ部材８０）をコイルばね８４の付勢力に抗して本体部５０側に向かって押圧する。すると、ストッパ部材８０が回動軸８５周りに回動して、ストッパ部８０ａ及び係合部８０ｆが連動して没入状態となり、係合部８０ｆの被係合部４１への引っ掛かり係合が解除される。この状態で、差し込み部材５を差し込み孔４０の外側に引っ張って、没入状態における係合部８０ｆを第１小径部４０ａを通過させる。以上により、差し込み部材５の本体部材４からの取り外しが完了する。
【００８５】
以下、装飾体１をブレスレットから取り外す作業について説明する。
【００８６】
装飾体１をブレスレットから取り外すときには、まず、突出状態におけるストッパ部８０ａ又は係合部８０ｆ（ストッパ部材８０）をコイルばね８４の付勢力に抗して本体部５０側に向かって押圧する。すると、ストッパ部材８０が回動軸８５周りに回動して、ストッパ部８０ａ及び係合部８０ｆが連動して没入状態となる。この状態で、装飾体１を本体部５０の先端側に移動させて、没入状態におけるストッパ部８０ａ及び係合部８０ｆを通過させ、本体部５０から取り外す。以上により、装飾体１のブレスレットからの取り外しが完了する。
【００８７】
以下、装飾体１をブレスレットに取り付ける作業について説明する。
【００８８】
装飾体１をブレスレットに取り付けるときには、まず、装飾体１を本体部５０の先端側から突出状態における係合部８０ｆまで移動させる。すると、装飾体１の孔１ａ内周面により、突出状態における係合部８０ｆ（ストッパ部材８０）がコイルばね８４の付勢力に抗して本体部５０側に向かって押圧され、ストッパ部材８０が回動軸８５周りに回動して、ストッパ部８０ａ及び係合部８０ｆが連動して没入状態となる。そして、装飾体１を本体部５０の基端側にさらに移動させて、没入状態におけるストッパ部８０ａを通過させると、ストッパ部８０ａ及び係合部８０ｆがコイルばね８４の付勢力により自動的に突出状態となる。
【００８９】
次に、装飾体１を突出状態におけるストッパ部８０ａまでさらに移動させると、装飾体１の孔１ａ内周面により、突出状態におけるストッパ部８０ａ（ストッパ部材８０）がコイルばね８４の付勢力に抗して本体部５０側に向かって押圧され、ストッパ部材８０が回動軸８５周りに回動して、ストッパ部８０ａ及び係合部８０ｆが連動して没入状態となる。そして、装飾体１を本体部５０の基端側にさらに移動させて、没入状態におけるストッパ部８０ａを通過させると、ストッパ部８０ａ及び係合部８０ｆがコイルばね８４の付勢力により自動的に突出状態となる。以上により、装飾体１のブレスレットへの取り付けが完了する。
【００９０】
ここで、装飾体１をブレスレットに脱着する場合であって、ストッパ部８０ａ及び係合部８０ｆの一方が装飾体１の孔１ａ内周面の段差に引っ掛かったときには、まず、突出状態におけるストッパ部８０ａ及び係合部８０ｆの他方（ストッパ部材８０）をコイルばね８４の付勢力に抗して本体部５０側に向かって押圧する。すると、ストッパ部材８０が回動軸８５周りに回動して、ストッパ部８０ａ及び係合部８０ｆが連動して没入状態となる。この状態で、装飾体１を本体部５０の先端側又は基端側に移動させて、没入状態におけるストッパ部８０ａ及び係合部８０ｆの一方を通過させると、ストッパ部８０ａ及び係合部８０ｆの一方の、装飾体１の孔１ａ内周面の段差への引っ掛かりが解除される。
【００９１】
−効果−
以上により、本実施形態によれば、ストッパ部８０ａが、ストッパ部材８０における本体部５０基端側の端部に、本体部５０の外周面から出没可能な係合部８０ｆが、ストッパ部材８０における本体部５０先端側の端部に形成されている。そして、コイルばね８４が、ストッパ部材８０を、ストッパ部８０ａ及び係合部８０ｆが本体部５０の外周面から突出する方向に付勢することによりストッパ部８０ａ及び係合部８０ｆを本体部５０の外周面から突出した突出状態とする。このため、装飾体１を取り替えたり、その数を増減させたりする場合であって、ストッパ部８０ａ及び係合部８０ｆの一方が装飾体１の孔１ａ内周面の段差に引っ掛かったときに、突出状態におけるストッパ部８０ａ及び係合部８０ｆの他方（ストッパ部材８０）をコイルばね８４の付勢力に抗して本体部５０側に向かって押圧すると、ストッパ部８０ａ及び係合部８０ｆが連動して本体部５０内に没入した没入状態となる。つまり、突出状態におけるストッパ部８０ａ又は係合部８０ｆを押圧するという簡単な作業で、ストッパ部８０ａ及び係合部８０ｆが没入状態となる。この状態で、装飾体１を移動させて、没入状態におけるストッパ部８０ａ及び係合部８０ｆの一方を通過させると、ストッパ部８０ａ及び係合部８０ｆの一方の、装飾体１の孔１ａ内周面の段差への引っ掛かりが解除される。したがって、ストッパ部８０ａ及び係合部８０ｆの一方が装飾体１の孔１ａ内周面の段差に引っ掛かったときに、その引っ掛かりを容易に解除することができる。
【００９２】
また、差し込み部材５の本体部材４への差し込み時に係合部８０ｆが係合可能な被係合部４１が、本体部材４に設けられている。このため、係合部８０ｆの被係合部４１への係合時に、突出状態におけるストッパ部８０ａ（ストッパ部材８０）をコイルばね８４の付勢力に抗して本体部５０側に向かって押圧すると、ストッパ部８０ａ及び係合部８０ｆが連動して没入状態となり、係合部８０ｆの被係合部４１への係合が解除される。つまり、突出状態におけるストッパ部８０ａを押圧するという簡単な作業で、係合部８０ｆの被係合部４１への係合が解除される。したがって、差し込み部材５を本体部材４から容易に取り外すことができる。
【００９３】
さらに、係合部８０ｆの被係合部４１への係合及びその解除のための機構が、差し込み部材５に集中的に設けられているので、本体部材４を簡単な構成にすることができる。
【００９４】
−変形例−
本変形例は、連結具が、本体部材と２つの差し込み部材とを備えている点等が実施形態２と異なっているが、その他の点については、実施形態２と同様の構成である。そこで、以下の説明では、実施形態２の構成要素と同様の構成要素については、同一の符号を用いて説明を行う。
【００９５】
図８は、実施形態２の変形例に係る、差し込み部材を本体部材に取り付けた状態における連結具を示す断面図である。
【００９６】
図８に示すように、本体部材４には、各差し込み部材５が差し込まれる円状の差し込み孔４０が貫通形成されている。この差し込み孔４０の内周面には、各差し込み部材５の本体部材４への差し込み時に各差し込み部材５の係合部８０ｆが係合可能な係合孔４０ｄ（被係合部）が形成されている。
【００９７】
各差し込み部材５は、円筒状の本体部５０を有している。この本体部５０における本体部材４とは反対側の端部には、線状部材２の一端が連結される連結部５２が形成されている。本体部５０の内部空間は、収容空間部５３を構成している。この収容空間部５３には、一対のストッパ部材８０と、２つのコイルばね８４とが収容されている。本体部５０における基端側の端部の外周面には、径方向に互いに対向する部分に軸方向に延びる矩形状の開口部５４ａがそれぞれ形成されている。本体部５０における先端側の端部の外周面には、開口部５４ａの対向方向（図８では、上下方向）に互いに対向する部分に軸方向に延びる矩形状の第２開口部５４ｂがそれぞれ形成されている。
【００９８】
ストッパ部８０ａ及び係合部８０ｆにおける突出側とは反対側の面（内面）には、開口部５４ａの対向方向の内側に突出する円状の突出部８０ｇがそれぞれ形成されている。この突出部８０ｇには、コイルばね８４の軸方向一端部が外嵌される。このコイルばね８４は、ストッパ部材８０を、ストッパ部８０ａ及び係合部８０ｆが本体部５０の開口部５４ａ，５４ｂから突出する方向に付勢している。この付勢力により、ストッパ部８０ａ及び係合部８０ｆは、本体部５０の開口部５４ａ，５４ｂから突出した突出状態となる。
【００９９】
なお、差し込み部材５を本体部材４に脱着する作業及び装飾体１をブレスレットに脱着する作業は、実施形態２と同様の作業である。
【０１００】
以上により、本実施形態の変形例によれば、コイルばね８４が本体部５０の内部に２つ設けられているので、コイルばねを１つ設けた場合と比較して、ばね圧を増加させることができ、ストッパ部８０ａ及び係合部８０ｆを突出状態に安定的に維持することができる。
【０１０１】
また、連結具３が、本体部材４と、この本体部材４に差し込み連結可能な２つの差し込み部材５とを備えている。そして、各差し込み部材５が、本体部５０と、ストッパ部材８０と、コイルばね８４とを有している。このため、装飾体１の取り替え等を２つの差し込み部材５のいずれにおいても行うことができる。これは特に、装飾体１をブレスレットに多数取り付けている場合であって、そのうち１個又は数個の装飾体１を取り外すときに有用である。つまり、装飾体１の取り替え等を１つの差し込み部材５でしか行えないと、例えば、１０個の装飾体１のうち、最初に取り付けた装飾体１だけを取り外したいときは、１０個すべての装飾体１を取り外した後に、最初に取り付けた装飾体１以外の９個の装飾体１を再度取り付ける必要がある。しかしながら、本変形例のように、装飾体１の取り替え等を２つの差し込み部材５のいずれにおいても行えると、最初に取り付けた装飾体１を、この装飾体１に近い側の差し込み部材５から取り外すことができ、装飾体１の取り外しを容易に行うことができる。
【０１０２】
なお、本変形例では、係合部８０ｆ及び係合孔４０ｄを同数としたが、係合部８０ｆの数よりも多い多数の係合孔４０ｄを形成してもよい。この場合、差し込み部材５の差し込み角度により係合部８０ｆ及び係合孔４０ｄの係合が行うことができないのを抑制することができる。
【０１０３】
また、本変形例では、被係合部を係合孔８０としたが、係合部８０ｆが係合可能な限り、これに限定されず、例えば、係合溝としてもよい。
【０１０４】
（実施形態３）
本実施形態は、差し込み部材が本体部の外周面から突出する案内部をさらに有している点等が実施形態１と異なっているが、その他の点については、実施形態１と同様の構成である。そこで、以下の説明では、実施形態１の構成要素と同様の構成要素については、同一の符号を用いて説明を行う。
【０１０５】
図９は、実施形態３に係る連結具の差し込み部材を示す斜視図である。図１０は、実施形態３に係る連結具の差し込み部材を示す分解斜視図である。図１１は、実施形態３に係る連結具の差し込み部材を示す断面図である。なお、図９〜図１１では、本体部材の図示を省略している。
【０１０６】
図９〜図１１に示すように、差し込み部材５の大径部５０ｂにおける径方向に互いに対向する部分の外周面には、軸方向に延びるスリット部５４ｃが２つずつそれぞれ形成されている。このスリット部５４ｃは、収容空間部５３と連通している。この収容空間部５３には、一対のストッパ部材８０と、ゴム弾性部材８６（付勢部材）とが収容されている。各ストッパ部材８０の収容凹部８０ｂには、ゴム弾性部材８６が収容支持されている。軸部材８２は、ゴム弾性部材８６における本体部５０先端側の端部に形成された挿通孔８６ａに挿通されている。ゴム弾性部材８６は、各ストッパ部材８０の壁部８０ｃの間に配置されている。
【０１０７】
ゴム弾性部材８６は、シリコンゴム等で形成されている。ゴム弾性部材８６は、ストッパ部材８０を、ストッパ部８０ａが大径部５０ｂの開口部５４ａから突出する方向に付勢している。この付勢力により、ストッパ部８０ａは、大径部５０ｂの開口部５４ａから突出した突出状態となる。ゴム弾性部材８６における大径部５０ｂの径方向に互いに対向する部分には、突条状の案内部８６ｂが２つずつそれぞれ一体に形成されている。この案内部８６ｂは、ブレスレットを腕に付けたり外したりするときに、装飾体１がブレスレットから外れるのを補助的に抑制するものである。各案内部８６ｂは、放射状に配置されている。各案内部８６ｂは、大径部５０ｂの対応するスリット部５４ｃから突出した突出状態となっている。各案内部８６ｂにおける突出側の面（外面）は、湾曲面状に形成されている。この突出状態では、装飾体１は、案内部８６ｂに案内されながら、この案内部８６ｂを通過可能になっている。
【０１０８】
以下、装飾体１をブレスレットから取り外す作業について説明する。
【０１０９】
装飾体１をブレスレットから取り外すときには、まず、突出状態におけるストッパ部８０ａ（ストッパ部材８０）をゴム弾性部材８６の付勢力（弾性力）に抗して本体部５０側（径方向内側）に向かって押圧する。すると、ストッパ部材８０が軸部材８２周りに回動して、ストッパ部８０ａが大径部５０ｂ内に没入した没入状態となる。この状態で、装飾体１を本体部５０の先端側に移動させて、突出状態における案内部８６ｂを案内通過させるとともに、没入状態におけるストッパ部８０ａを通過させ、本体部５０から取り外す。以上により、装飾体１のブレスレットからの取り外しが完了する。
【０１１０】
以下、装飾体１をブレスレットに取り付ける作業について説明する。
【０１１１】
装飾体１をブレスレットに取り付けるときには、まず、装飾体１を本体部５０の先端側から突出状態におけるストッパ部８０ａまで移動させる。すると、装飾体１の孔１ａ内周面により、突出状態におけるストッパ部８０ａ（ストッパ部材８０）がゴム弾性部材８６の付勢力に抗して本体部５０側に向かって押圧され、ストッパ部材８０が軸部材８２周りに回動して、ストッパ部８０ａが没入状態となる。そして、装飾体１を本体部５０の基端側にさらに移動させて、没入状態におけるストッパ部８０ａを通過させるとともに、突出状態における案内部８６ｂを案内通過させると、ストッパ部８０ａがゴム弾性部材８６の付勢力により自動的に突出状態となる。以上により、装飾体１のブレスレットへの取り付けが完了する。
【０１１２】
なお、差し込み部材５を本体部材４に脱着する作業は、実施形態１と同様の作業である。
【０１１３】
−効果−
以上により、本実施形態によれば、実施形態１と同様の効果が得られる。
【０１１４】
また、本体部５０の外周面から突出する案内部８６ｂが、差し込み部材５に設けられているので、ブレスレットを腕に付けたり外したりするときに、案内部８６ｂにより、装飾体１がブレスレットから外れるのをより一層抑制することができる。
【０１１５】
一方、装飾体１を取り替えたり、その数を増減させたりするときは、装飾体１を、案内部８６ｂを案内通過させることができる。このため、装飾体１の取り替え等の容易性を維持することができる。
【０１１６】
（実施形態４）
本実施形態は、ストッパ部材及び付勢部材が一体に形成されている点等が実施形態１と異なっているが、その他の点については、実施形態１と同様の構成である。そこで、以下の説明では、実施形態１の構成要素と同様の構成要素については、同一の符号を用いて説明を行う。
【０１１７】
図１２は、実施形態４に係る連結具の差し込み部材を示す斜視図である。図１３は、実施形態４に係る連結具の差し込み部材を示す分解斜視図である。図１４は、実施形態４に係る連結具の差し込み部材を示す断面図である。なお、図１２〜図１４では、本体部材の図示を省略している。
【０１１８】
図１２〜図１４に示すように、差し込み部材５の小径部５０ａ及び大径部５０ｂは、パッキン８３を介して互いに螺合連結されている。大径部５０ｂは、本体部５０の先端側から基端側まで直径が一定になるように形成されている。大径部５０ｂにおける本体部５０基端側の端部の外周面には、径方向に互いに対向する部分に軸方向に延びる第１スリット部５４ｄがそれぞれ形成されている。大径部５０ｂにおける第１スリット部５４ｄよりも本体部５０基端側の部分の外周面には、径方向のうち第１スリット部５４ｄの対向方向（図１４では、その紙面を貫く方向）と直交する方向に互いに対向する部分に軸方向に延びる第２スリット部５４ｅがそれぞれ形成されている。これらのスリット部５４ｄ，５４ｅは、収容空間部５３と連通している。この収容空間部５３には、ばね部材８７（ストッパ部材）（付勢部材）が収容されている。このばね部材８７は、ブレスレットを腕に付けたり外したりするときに、装飾体１がブレスレットから外れるのを抑制するものである。
【０１１９】
ばね部材８７は、Ｘ字状の金属板におけるその中央部から放射状に延びる４つの放射状部８７ａを金属板の中央部でそれぞれ９０度折り曲げた後に、各放射状部８７ａの先端部をつまんで９０度ねじってなるものである。第１スリット部５４ｄに対応する一対の放射状部８７ａの先端部には、大径部５０ｂの対応する第１スリット部５４ｄから出没可能な板状のストッパ部８７ｂがそれぞれ形成されている。ばね部材８７は、ストッパ部８７ｂが大径部５０ｂの第１スリット部５４ｄから突出する方向に付勢している。この付勢力により、ストッパ部８７ｂは、大径部５０ｂの第１スリット部５４ｄから突出した突出状態となる。ストッパ部８７ｂは、突出状態では、その突出高さが本体部５０の先端側から基端側に行くに従って次第に大きくなるように、その突出側の面（外面）が傾斜面状に形成されている。
【０１２０】
第２スリット部５４ｅに対応する一対の放射状部８７ａの先端部には、板状の案内部８７ｃがそれぞれ形成されている。この案内部８７ｃは、ブレスレットを腕に付けたり外したりするときに、装飾体１がブレスレットから外れるのを補助的に抑制するものである。各案内部８７ｃは、大径部５０ｂの対応する第２スリット部５４ｅから突出した突出状態となっている。この突出状態では、各案内部８７ｃにおける突出側の面（外面）は、湾曲面状に形成されている。
【０１２１】
以下、装飾体１をブレスレットから取り外す作業について説明する。
【０１２２】
装飾体１をブレスレットから取り外すときには、まず、突出状態におけるストッパ部８７ｂをばね部材８７の付勢力に抗して本体部５０側（径方向内側）に向かって押圧する。すると、ストッパ部８７ｂが大径部５０ｂ内に没入した没入状態となる。この状態で、装飾体１を本体部５０の先端側に移動させると、装飾体１の孔１ａ内周面により、突出状態における案内部８７ｃがばね部材８７の付勢力に抗して本体部５０側に向かって押圧され、案内部８７ｃが第２スリット部５４ｅ内に没入した没入状態となる。そして、装飾体１を本体部５０の先端側にさらに移動させて、没入状態におけるストッパ部８７ｂ及び案内部８７ｃを通過させ、本体部５０から取り外す。以上により、装飾体１のブレスレットからの取り外しが完了する。
【０１２３】
以下、装飾体１をブレスレットに取り付ける作業について説明する。
【０１２４】
装飾体１をブレスレットに取り付けるときには、まず、装飾体１を本体部５０の先端側から突出状態におけるストッパ部８７ｂ及び案内部８７ｃまで移動させる。すると、装飾体１の孔１ａ内周面により、突出状態におけるストッパ部８７ｂ及び案内部８７ｃがばね部材８７の付勢力に抗して本体部５０側に向かって押圧され、ストッパ部８７ｂ及び案内部８７ｃが没入状態となる。そして、装飾体１を本体部５０の基端側にさらに移動させて、没入状態におけるストッパ部８７ｂ及び案内部８７ｃを通過させると、ストッパ部８７ｂ及び案内部８７ｃがばね部材８７の付勢力により自動的に突出状態となる。以上により、装飾体１のブレスレットへの取り付けが完了する。
【０１２５】
なお、差し込み部材５を本体部材４に脱着する作業は、実施形態１と同様の作業である。
【０１２６】
−効果−
以上により、本実施形態によれば、実施形態１と同様の効果が得られる。
【０１２７】
また、ストッパ部材及び付勢部材が一体に形成されているので、ストッパ部材及び付勢部材を別々に形成した場合と比較して、部材点数を低減することができるとともに、差し込み部材５の組立を容易に行うことができる。
【０１２８】
（実施形態５）
本実施形態は、ストッパ部材及び付勢部材が一体に形成されている点等が実施形態１と異なっているが、その他の点については、実施形態１と同様の構成である。そこで、以下の説明では、実施形態１の構成要素と同様の構成要素については、同一の符号を用いて説明を行う。
【０１２９】
図１５は、実施形態５に係る連結具の差し込み部材を示す斜視図である。図１６は、実施形態５に係る連結具の差し込み部材を示す分解斜視図である。図１７は、実施形態５に係る連結具の差し込み部材を示す断面図であり、（ａ）は突出状態におけるストッパ部を示す図、（ｂ）は没入状態におけるストッパ部を示す図である。なお、図１５〜図１７では、本体部材の図示を省略している。
【０１３０】
図１５〜図１７に示すように、差し込み部材５の大径部５０ｂは、本体部５０の先端側から基端側まで直径が一定になるように形成されている。大径部５０ｂにおける本体部５０基端側の部分の外周面には、軸方向に延びるスリット部５４ｆが周方向に９０度間隔で形成されている。大径部５０ｂにおける本体部５０先端側の部分の外周面には、矩形状の固定孔５４ｇが周方向に９０度間隔で形成されている。これらのスリット部５４ｆ及び固定孔５４ｇは、互いに大径部５０ｂの軸方向に並ぶように配置されている。スリット部５４ｆ及び固定孔５４ｇは、収容空間部５３と連通している。この収容空間部５３には、一対のばね部材８８（ストッパ部材）（付勢部材）が収容されている。このばね部材８８は、ブレスレットを腕に付けたり外したりするときに、装飾体１がブレスレットから外れるのを抑制するものである。一対のばね部材８８は、本体部５０の軸方向から見たときにＸ字状に配置されている。
【０１３１】
一対のばね部材８８は、互いに同様の形状である。つまり、各ばね部材８８は、Ｕ字状の本体部８８ａを有している。この本体部８８ａの両端部には、大径部５０ｂの対応するスリット部５４ｆから出没可能な板状のストッパ部８８ｂがそれぞれ一体に形成されている。このストッパ部８８ｂは、ばね部材８８からＵ字外側に突出している。各ばね部材８８は、ストッパ部８８ｂが大径部５０ｂのスリット部５４ｆから突出する方向に付勢している。この付勢力により、ストッパ部８８ｂは、大径部５０ｂのスリット部５４ｆから突出した突出状態となる。ストッパ部８８ｂは、突出状態では、その突出高さが本体部５０の先端側から基端側に行くに従って次第に大きくなるように、その突出側の面（外面）が傾斜面状に形成されている。本体部８８ａにおける両端部とＵ字底部との間の中間部には、Ｕ字外側に突出する突出部８８ｃがそれぞれ一体に形成されている。この突出部８８ｃは、大径部５０ｂの対応する固定孔５４ｇに嵌合固定される。この嵌合固定により、ばね部材８８は、本体部５０の内部に位置決めされる。
【０１３２】
大径部５０ｂ及び連結部５２は、パッキン８３を介して互いに螺合連結されている。このパッキン８３は、大径部５０ｂ及び連結部５２の螺合が緩むのを防止するためのものである。
【０１３３】
なお、差し込み部材５を本体部材４に脱着する作業及び装飾体１をブレスレットに脱着する作業は、実施形態１と同様の作業である。
【０１３４】
以上により、本実施形態によれば、実施形態４と同様の効果が得られる。
【０１３５】
なお、本実施形態では、一対のばね部材８８を互いに同様の形状としたが、互いに異なる形状としてもよい。例えば、一方のばね部材８８のストッパ部８８ｂを実施形態３の案内部としてもよい。
【０１３６】
（実施形態６）
本実施形態は、本体部材が本体部とストッパ部材と付勢部材とを有する点等が実施形態１と異なっているが、その他の点については、実施形態１と同様の構成である。そこで、以下の説明では、実施形態１の構成要素と同様の構成要素については、同一の符号を用いて説明を行う。
【０１３７】
図１８は、実施形態６に係る、差し込み部材を本体部材から取り外した状態における連結具を示す斜視図である。図１９は、実施形態６に係る連結具を示す分解斜視図である。図２０は、実施形態６に係る、差し込み部材を本体部材に取り付けた状態における連結具を示す断面図である。
【０１３８】
図１８〜図２０に示すように、本体部材４は、円柱状の本体部４３を有している。この本体部４３は、装飾体１が通過可能な大きさに形成されている。本体部４３における差し込み部材５側の面には、この差し込み部材５が差し込まれる円状の差し込み孔４４が形成されている。この差し込み孔４４の底面には、円状の固定孔４５が形成されている。この固定孔４５は、差し込み孔４４よりも内径が小さくなるように形成されている。固定孔４５には、円柱状の磁石４６が接着剤により内嵌固定されている。
【０１３９】
本体部４３における基端側（差し込み部材５とは反対側）の部分は、本体部４３の先端側から基端側に行くに従って次第に直径が大きくなるように形成されている。本体部４３における基端側の部分の内部には、軸方向に延びる収容空間部４７が形成されている。本体部４３の基端側の部分における径方向（図２０では、上下方向）に互いに対向する部分の外周面には、軸方向に延びる矩形状の開口部４８がそれぞれ形成されている。これらの開口部４８は、収容空間部４７と連通している。この収容空間部４７には、一対のストッパ部材８０と、ねじりばね８１とが収容されている。軸部材８２の両端部は、本体部４３におけるこの両端部に対応する部分に形成された固定孔４９にそれぞれ嵌合固定されている。
【０１４０】
差し込み部材５は、円筒状の部材である。差し込み部材５における本体部材４とは反対側の端部には、線状部材２の他端が連結される連結部５２が形成されている。この連結部５２は、装飾体１が通過不能な大きさに形成されている。連結部５２における本体部材４側の端部の内周面には、径方向内側に突出する突出部５２ａが形成されている。差し込み部材５の内部空間には、円柱状の磁石５６が差し込み部材５の先端部によりかしめ固定されている。この磁石５６は、突出部５２ａに接触支持されている。
【０１４１】
以下、差し込み部材５を本体部材４に取り付ける作業について説明する。
【０１４２】
差し込み部材５を本体部材４に取り付けるときには、差し込み部材５を差し込み孔４４に差し込む。すると、差し込み部材５が、この差し込み部材５の磁石５６と本体部材４の磁石４６との間の磁力により差し込み孔４４に嵌合係合する。以上により、差し込み部材５の本体部材４への取り付けが完了する。
【０１４３】
また、差し込み部材５を本体部材４から取り外すときには、差し込み部材５を、この差し込み部材５の磁石５６と本体部材４の磁石４６との間の磁力に抗して差し込み孔４４の外側に引っ張る。これにより、差し込み部材５の本体部材４からの取り外しが完了する。
【０１４４】
以下、装飾体１をブレスレットから取り外す作業について説明する。
【０１４５】
装飾体１をブレスレットから取り外すときには、まず、突出状態におけるストッパ部８０ａ（ストッパ部材８０）をねじりばね８１の付勢力に抗して本体部４３側（径方向内側）に向かって押圧する。すると、ストッパ部材８０が軸部材８２周りに回動して、ストッパ部８０ａが本体部４３内に没入した没入状態となる。この状態で、装飾体１を本体部４３の先端側に移動させて、没入状態におけるストッパ部８０ａを通過させ、本体部４３から取り外す。以上により、装飾体１のブレスレットからの取り外しが完了する。
【０１４６】
以下、装飾体１をブレスレットに取り付ける作業について説明する。
【０１４７】
装飾体１をブレスレットに取り付けるときには、まず、装飾体１を本体部４３の先端側から突出状態におけるストッパ部８０ａまで移動させる。すると、装飾体１の孔１ａ内周面により、突出状態におけるストッパ部８０ａ（ストッパ部材８０）がねじりばね８１の付勢力に抗して本体部４３側に向かって押圧され、ストッパ部材８０が軸部材８２周りに回動して、ストッパ部８０ａが没入状態となる。そして、装飾体１を本体部４３の基端側にさらに移動させて、没入状態におけるストッパ部８０ａを通過させると、ストッパ部８０ａがねじりばね８１の付勢力により自動的に突出状態となる。以上により、装飾体１のブレスレットへの取り付けが完了する。
【０１４８】
以上により、本実施形態によれば、実施形態１と同様の効果が得られる。
【０１４９】
（実施形態７）
本実施形態は、連結具が一対の連結部材を備える点等が実施形態１と異なっているが、その他の点については、実施形態１と同様の構成である。そこで、以下の説明では、実施形態１の構成要素と同様の構成要素については、同一の符号を用いて説明を行う。
【０１５０】
図２１は、実施形態７に係る、連結部材同士の連結を解除した状態における連結具を示す斜視図である。図２２は、実施形態７に係る連結具を示す分解斜視図である。図２３は、実施形態７に係る、連結部材同士を連結した状態における連結具を示す断面図である。
【０１５１】
図２１〜図２３に示すように、各連結部材９は、互いに同様の形状である。つまり、各連結部材９は、円柱状の本体部９０を有している。この本体部９０は、装飾体１が通過可能な大きさに形成されている。本体部９０における他の連結部材９とは反対側の端部には、線状部材２の一端が連結される連結部９１が形成されている。本体部９０における他の連結部材９側の面には、円状の固定孔９２が形成されている。この固定孔９２には、円柱状の磁石９３が連結部材９の先端部によりかしめ固定されている。
【０１５２】
本体部９０における基端側（他の連結部材９とは反対側）の部分は、本体部９０の先端側から基端側に行くに従って次第に直径が大きくなるように形成されている。本体部９０における基端側の部分の内部には、軸方向に延びる収容空間部９４が形成されている。本体部９０の基端側の部分における径方向（図２３では、上下方向）に互いに対向する部分の外周面には、軸方向に延びる矩形状の開口部９５がそれぞれ形成されている。これらの開口部９５は、収容空間部９４と連通している。この収容空間部９４には、一対のストッパ部材８０と、ねじりばね８１とが収容されている。軸部材８２の両端部は、本体部９０におけるこの両端部に対応する部分に形成された固定孔９６にそれぞれ嵌合固定されている。
【０１５３】
連結部材９を互いに連結するときには、連結部材９の先端部同士をくっ付ける。すると、連結部材９同士が、各連結部材９の磁石９３の間の磁力により互いに結合する。以上により、連結部材９同士の連結が完了する。
【０１５４】
また、連結部材９同士の連結を解除するときには、連結部材９同士を、各連結部材９の磁石９３の間の磁力に抗して互いに引き離す。これにより、連結部材９同士の連結の解除が完了する。
【０１５５】
以下、装飾体１をブレスレットから取り外す作業について説明する。
【０１５６】
装飾体１をブレスレットから取り外すときには、まず、突出状態におけるストッパ部８０ａ（ストッパ部材８０）をねじりばね８１の付勢力に抗して本体部９０側（径方向内側）に向かって押圧する。すると、ストッパ部材８０が軸部材８２周りに回動して、ストッパ部８０ａが本体部９０内に没入した没入状態となる。この状態で、装飾体１を本体部９０の先端側に移動させて、没入状態におけるストッパ部８０ａを通過させ、本体部９０から取り外す。以上により、装飾体１のブレスレットからの取り外しが完了する。
【０１５７】
以下、装飾体１をブレスレットに取り付ける作業について説明する。
【０１５８】
装飾体１をブレスレットに取り付けるときには、まず、装飾体１を本体部９０の先端側から突出状態におけるストッパ部８０ａまで移動させる。すると、装飾体１の孔１ａ内周面により、突出状態におけるストッパ部８０ａ（ストッパ部材８０）がねじりばね８１の付勢力に抗して本体部９０側に向かって押圧され、ストッパ部材８０が軸部材８２周りに回動して、ストッパ部８０ａが没入状態となる。そして、装飾体１を本体部９０の基端側にさらに移動させて、没入状態におけるストッパ部８０ａを通過させると、ストッパ部８０ａがねじりばね８１の付勢力により自動的に突出状態となる。以上により、装飾体１のブレスレットへの取り付けが完了する。
【０１５９】
以上により、本実施形態によれば、実施形態１と同様の効果が得られる。
【０１６０】
また、各連結部材９が、本体部９０と、ストッパ部材８０と、ねじりばね８１とを有している。このため、装飾体１の取り替え等を２つの連結部材９のいずれにおいても行うことができる。これは特に、装飾体１をブレスレットに多数取り付けている場合であって、そのうち１個又は数個の装飾体１を取り外すときに有用である。つまり、装飾体１の取り替え等を１つの連結部材９でしか行えないと、例えば、１０個の装飾体１のうち、最初に取り付けた装飾体１だけを取り外したいときは、１０個すべての装飾体１を取り外した後に、最初に取り付けた装飾体１以外の９個の装飾体１を再度取り付ける必要がある。しかしながら、本実施形態のように、装飾体１の取り替え等を２つの連結部材９のいずれにおいても行えると、最初に取り付けた装飾体１を、この装飾体１に近い側の連結部材９から取り外すことができ、装飾体１の取り外しを容易に行うことができる。
【０１６１】
（その他の実施形態）
上記各実施形態では、連結具３をブレスレットに採用したが、これに限らず、他の装身具、例えば、ネックレス等に採用してもよい。
【０１６２】
また、上記各実施形態（実施形態４及び５を除く）では、ストッパ部材８０を連結部材に２つ設けたが、これに限らず、例えば、１つだけ設けてもよい。ここで、装飾体１がブレスレットから外れるのを抑制する観点からは、ストッパ部材８０の数は多い方が望ましい。一方、ストッパ部８０ａ（ストッパ部材８０）の押圧操作の容易性の観点からは、ストッパ部材８０の数は２つ以内であることが望ましい。
【０１６３】
また、上記各実施形態では、線状部材２及び連結具３を連結部を介して連結したが、これに限らず、例えば、連結環を介して連結してもよい。
【０１６４】
また、上記実施形態２、４及び５では、差し込み部材５の部品同士を螺合連結したが、これに限らず、例えば、かしめや締結、はんだ付け、ろう付け、接着剤による接着等で連結してもよい。
【０１６５】
また、本発明の趣旨を逸脱しない限り、上記各実施形態の構成要素を任意に組み合わせてもよい。
【産業上の利用可能性】
【０１６６】
以上説明したように、本発明に係る装身具用連結具及び連結部材は、部材点数を低減しながら、専用の装飾体を必要とすることなく、装飾体の取り替え等を容易に行うことが必要な用途等に適用することができる。
【符号の説明】
【０１６７】
３              ブレスレット用連結具（装飾具用連結具）
４              本体部材（連結部材）（被差し込み部材）
４０ｄ          係合孔（被係合部）
４１            被係合部
４３            本体部
５              差し込み部材（連結部材）
５０            本体部
５１            係合溝部（係合凹部）
７              操作部材
７０ｅ，７１ｅ  係合部
８０            ストッパ部材
８０ａ          ストッパ部
８０ｅ          係合部
８１            ねじりばね（付勢部材）
８４            コイルばね（付勢部材）
８６            ゴム弾性部材（付勢部材）
８６ｂ          案内部
８７            ばね部材（ストッパ部材）（付勢部材）
８７ｂ          ストッパ部 
８７ｃ          案内部 
８８            ばね部材（ストッパ部材）（付勢部材）
８８ａ          ストッパ部 
９              連結部材 
９０            本体部 
【図１】
2015208332.tif 000003
【図２】
2015208332.tif 000004
【図３】
2015208332.tif 000005
【図４】
2015208332.tif 000006
【図５】
2015208332.tif 000007
【図６】
2015208332.tif 000008
【図７】
2015208332.tif 000009
【図８】
2015208332.tif 000010
【図９】
2015208332.tif 000011
【図１０】
2015208332.tif 000012
【図１１】
2015208332.tif 000013
【図１２】
2015208332.tif 000014
【図１３】
2015208332.tif 000015
【図１４】
2015208332.tif 000016
【図１５】
2015208332.tif 000017
【図１６】
2015208332.tif 000018
【図１７】
2015208332.tif 000019
【図１８】
2015208332.tif 000020
【図１９】
2015208332.tif 000021
【図２０】
2015208332.tif 000022
【図２１】
2015208332.tif 000023
【図２２】
2015208332.tif 000024
【図２３】
2015208332.tif 000025
【図２４】
2015208332.tif 000026
【図２５】
2015208332.tif 000027